(57)【要約】【課題】音声、楽音、環境音の如き音響の音源の複数個から到来する複数の音響に基づいて生成される複数の音響信号が混合された２チャネルステレオ信号を周波数帯域分割し、周波数帯域分割された左右チャネルの信号のパワー比を用いて中央に定位する音源信号を強調するステレオ音響信号処理方法、装置、プログラムおよび記憶媒体を提供する。【解決手段】ステレオ収音、或いはステレオ再生用に加工された２チャネル音響信号処理方法において、ステレオ信号を左右チャネル毎に複数の周波数成分に分割する過程と、各周波数成分毎に左右チャネルのパワー比を算出する過程と、パワー比に対応して周波数成分毎に左右成分を加算すると共に加算結果にレベル調整係数を乗算する過程と、左右チャネル毎の各周波数成分信号を再合成する過程と、再合成した信号を出力する過程とを有するステレオ音響信号処理方法。【選択図】  なし【特許請求の範囲】
【請求項１】
ステレオ収音、或いはステレオ再生用に加工された２チャネル音響信号処理方法において、
ステレオ信号を左右チャネル毎に複数の周波数成分に分割する過程と、
各周波数成分毎に左右チャネルのパワー比を算出する過程と、
パワー比に対応して周波数成分毎に左右成分を加算すると共に加算結果にレベル調整係数を乗算する過程と、
左右チャネル毎の各周波数成分信号を再合成する過程と、
再合成した信号を出力する過程とを有することを特徴とするステレオ音響信号処理方法。
【請求項２】
請求項１に記載されるステレオ音響信号処理方法において、
周波数成分毎に左右信号を加算する過程において、パワー比が１近傍の予め決められた比率の範囲内にある周波数成分に対してのみ加算を行い、それ以外の周波数成分に対しては加算をしないことを特徴とするステレオ音響信号処理方法。
【請求項３】
請求項１および請求項２の内の何れかに記載されるステレオ音響信号処理方法において、
更に、各周波数成分毎に左右チャネルの位相差を算出する過程と、
位相差の大きい周波数成分を抑圧する減衰係数を各周波数成分毎に求める過程と、
減衰係数を各々の周波数成分に乗算する過程とを有することを特徴とするステレオ音響信号処理方法。
【請求項４】
ステレオ信号入力部を具備し、
左チャネルのステレオ信号を複数の周波数成分に分割する左チャネル周波数帯域分割部および右チャネルのステレオ信号を複数の周波数成分に分割する右チャネル周波数帯域分割部を具備し、
左右チャネルの帯域分割された信号成分について同じ周波数帯域毎にパワー比を計算するパワー比計算部を具備し、
パワー比が１の近傍の値であるか否かを各周波数帯域毎に計算する混合判定部を具備し、
混合判定部の判定結果に基づいてパワー比が１の近傍の値であると判断された左右の信号成分を各周波数帯域毎に加算処理すると共に加算結果にレベル調整係数を乗算するＬＲ混合部を具備し、
ＬＲ混合部における処理後の出力信号を入力して左右チャネル信号を再合成する左チャネル信号合成部および右チャネル信号合成部を具備することを特徴とするステレオ音響信号処理装置。
【請求項５】
請求項４に記載されるステレオ音響信号処理装置において、
パワー比の他に各周波数成分毎に左右チャネルの位相差を算出する類似度計算部をパワー比計算部の代わりに具備し、
位相差の大きい周波数成分を抑圧する減衰係数を各周波数成分毎に求める減衰係数計算部を具備し、
減衰係数を各々の周波数成分に乗算する左チャネル減衰係数乗算器および右チャネル減衰係数乗算器を具備することを特徴とするステレオ音響信号処理装置。
【請求項６】
ステレオ信号を左右チャネル毎に複数の周波数成分に分割し、
各周波数成分毎に左右チャネルのパワー比を算出し、
パワー比に対応して周波数成分毎に左右成分を加算すると共に加算結果にレベル調整係数を乗算し、
左右チャネル毎の各周波数成分信号を再合成し、再合成した信号を出力する指令をコンピュータに対してするステレオ音響信号処理プログラム。
【請求項７】
ステレオ信号を左右チャネル毎に複数の周波数成分に分割し、
各周波数成分毎に左右チャネルのパワー比を算出し、
各周波数成分毎に左右チャネルの位相差を算出し、
パワー比に対応して周波数成分毎に左右成分を加算すると共に加算結果にレベル調整係数を乗算し、
位相差の大きい周波数成分を抑圧する減衰係数を各周波数成分毎に求め、
減衰係数を各々の周波数成分に乗算し、
左右チャネル毎の各周波数成分信号を再合成し、再合成した信号を出力する指令をコンピュータに対してするステレオ音響信号処理プログラム。
【請求項８】
請求項６に記載されるステレオ音響信号処理プログラムを記憶した記憶媒体。
【請求項９】
請求項７に記載されるステレオ音響信号処理プログラムを記憶した記憶媒体。
【発明の詳細な説明】
【０００１】
【産業上の利用分野】
この発明は、ステレオ音響信号処理方法、装置、プログラムおよび記憶媒体に関し、特に、音声、楽音、環境音の如き音響の音源の複数個から到来する複数の音響に基づいて生成される複数の音響信号が混合された２チャネルステレオ信号を周波数帯域分割し、周波数帯域分割された左右チャネルの信号のパワー比を用いて中央に定位する音源信号を強調するステレオ音響信号処理方法、装置、プログラムおよび記憶媒体に関する。
【０００２】
【従来の技術】
２本のマイクロホンで収音し、マイクロホン間の中央に存在する音源の音響信号を強調する従来例は種々開発されている。
第１の従来例は、左右チャネルの音響信号を加算する例である。中央に存在する音源の音響は左右のマイクロホンにほぼ同相で入力するところから、収音された左右チャネルの音響信号を加算すると、音響信号の振幅は２倍になる。それ以外の、特に、壁から到来する反射音、暗騒音は、左右のマイクロホンにランダムに入力するので、左右のマイクロホンの生成する音響信号が無相関に近く、パワー加算となって約√２倍になる。その結果、中央に存在する音源に起因する音源信号は約√２倍、即ち、３ｄＢ強調される。この第１の従来例は、音響信号を線形処理するものであるので、音響信号に歪みを生じないという利点はあるが、マイクロホンが２本であれば原理的に３ｄＢまでしか強調することはできない。また、ステレオであった原信号はモノラルになるという問題もある。
【０００３】
第２の従来例（特許文献１、２  参照）は、ステレオ音響信号のままで、第１の従来例と比較してより大きな強調をすることができる例である。以下、これを説明するに、左右各々の音響信号を複数の周波数帯域に分割し、各周波数帯域毎に左右の音響信号のレベル差と位相差を求める。そして、レベル差と位相差が大きい成分に対してのみ、減衰係数を乗算し、再合成する。これにより、ステレオ信号のまま、レベル差と位相差が小さい中央に定位して聞こえる音源信号以外の音源信号が減衰係数の大きさに応じて抑圧され、中央に定位して聞こえる音源信号を相対的に強調することができる。この第２の従来例は、第１の従来例と比較すると、ステレオのままであることと、中央に定位して聞こえる音源信号以外の音源信号の抑圧量を大きくすることができることが利点であるが、音響信号処理が非線形処理となるところから、位相が乱れると共に定位感を損ね、或いは歪みを生じるという問題を内包する。
【０００４】
【特許文献１】
特開２００２−７８１００号  公報
【特許文献２】
特開２００２−２４７６９９号  公報
【０００５】
【発明が解決しようとする課題】
この発明は、複数の音響信号が混合した２チャネルステレオ信号を周波数帯域分割し、周波数帯域分割された左右チャネルの信号のパワー比を用いて、中央に定位する音源信号をステレオ音響信号のままで強調する上述の問題を解消したステレオ音響信号処理方法、装置、プログラムおよび記憶媒体を提供するものである。
【０００６】
【課題を解決するための手段】
請求項１：ステレオ収音、或いはステレオ再生用に加工された２チャネル音響信号処理方法において、ステレオ信号を左右チャネル毎に複数の周波数成分に分割する過程と、各周波数成分毎に左右チャネルのパワー比を算出する過程と、パワー比に対応して周波数成分毎に左右成分を加算処理すると共に加算結果にレベル調整係数を乗算する過程と、左右チャネル毎の各周波数成分信号を再合成する過程と、再合成した信号を出力する過程とを有するステレオ音響信号処理方法を構成した。
そして、請求項２：請求項１に記載されるステレオ音響信号処理方法において周波数成分毎に左右信号を加算する過程において、パワー比が１近傍の予め決められた比率の範囲内にある周波数成分に対してのみ加算を行い、それ以外の周波数成分に対しては加算をしないステレオ音響信号処理方法を構成した。
【０００７】
また、請求項３：請求項１および請求項２の内の何れかに記載されるステレオ音響信号処理方法において、更に、各周波数成分毎に左右チャネルの位相差を算出する過程と、位相差の大きい周波数成分を抑圧する減衰係数を各周波数成分毎に求める過程と、減衰係数を各々の周波数成分に乗算する過程とを有するステレオ音響信号処理方法を構成した。
ここで、請求項４：ステレオ信号入力部１０２を具備し、左チャネルのステレオ信号を複数の周波数成分に分割する左チャネル周波数帯域分割部１０３および右チャネルのステレオ信号を複数の周波数成分に分割する右チャネル周波数帯域分割部１０４を具備し、左右チャネルの帯域分割された信号成分について同じ周波数帯域毎にパワー比ｑ（ｋ） を計算するパワー比計算部１０５を具備し、パワー比ｑ（ｋ） が１の近傍の値であるか否かを各周波数帯域毎に計算する混合判定部１０６を具備し、混合判定部１０６の判定結果に基づいてパワー比ｑ（ｋ） が１の近傍の値であると判断された左右の信号成分ｆＬ（ｋ）、ｆＲ  （ｋ）を各周波数帯域毎に加算処理すると共に、加算結果にレベル調整係数を乗算するＬＲ混合部１０７を具備し、ＬＲ混合部１０７における処理後の出力信号を入力して左右チャネル信号を再合成する左チャネル信号合成部１０８および右チャネル信号合成部１０９を具備するステレオ音響信号処理装置を構成した。
【０００８】
また、請求項５：請求項４に記載されるステレオ音響信号処理装置においてパワー比の他に各周波数成分毎に左右チャネルの位相差を算出する類似度計算部２０５をパワー比計算部１０５の代わりに具備し、位相差の大きい周波数成分を抑圧する減衰係数を各周波数成分毎に求める減衰係数計算部２０６を具備し、減衰係数を各々の周波数成分に乗算する左チャネル減衰係数乗算器２０７および右チャネル減衰係数乗算器２０８を具備するステレオ音響信号処理装置を構成した。
更に、請求項６：ステレオ信号を左右チャネル毎に複数周波数成分に分割し、各周波数成分毎に左右チャネルのパワー比を算出し、パワー比に対応して周波数成分毎に左右成分を加算処理すると共に加算結果にレベル調整係数を乗算し、左右チャネル毎の各周波数成分信号を再合成し、再合成した信号を出力する指令をコンピュータに対してするステレオ音響信号処理プログラムを構成した。
【０００９】
そして、請求項７：ステレオ信号を左右チャネル毎に複数の周波数成分に分割し、各周波数成分毎に左右チャネルのパワー比を算出し、各周波数成分毎に左右チャネルの位相差を算出し、パワー比に対応して周波数成分毎に左右成分を加算処理すると共に加算結果にレベル調整係数を乗算し、位相差の大きい周波数成分を抑圧する減衰係数を各周波数成分毎に求め、減衰係数を各々の周波数成分に乗算し、左右チャネル毎の各周波数成分信号を再合成し、再合成した信号を出力する指令をコンピュータにするステレオ音響信号処理プログラムを構成した。
ここで、請求項８：請求項６に記載されるステレオ音響信号処理プログラムを記憶した記憶媒体を構成した。
そして、請求項９：請求項７に記載されるステレオ音響信号処理プログラムを記憶した記憶媒体を構成した。
【００１０】
【発明の実施の形態】
この発明のステレオ音響信号処理装置は、ステレオ音響信号入力部と、２チャネルの信号を各チャネル毎に複数の周波数成分に分割する周波数帯域分割部と、各周波数成分毎にチャネル間のパワー比を計算するパワー比計算部と、予め決められたパワー比の閾値と比較する混合判定部と、比較した結果、パワー比が１に近いと判定された左右信号成分のみを周波数毎に加算し、加算された周波数成分信号を左右信号に割り振るとき左右信号のパワー加算値が一定になる重み係数を左右信号成分に乗算するＬＲ混合部と、乗算した後各チャネル毎の各周波数成分信号を再合成する左右チャネル信号合成部と、再合成した信号を出力するステレオ信号出力部とを有する。
【００１１】
先ず、入力されたステレオ信号をチャネル毎に複数の周波数成分に分割する。そして、各周波数成分毎にチャネル間の信号成分のパワー比を計算する。左右のパワーの近い成分を検出するために、パワー比１を中心にして、一定比率幅の閾値を設定しておき、その幅の中に計算されたパワー比が入るか否かを判定する。パワー比が閾値内に入った場合のみ当該左右信号成分を加算する。加算した後、左右チャネルに割り振る際、重み係数√２を左右信号成分各々に乗算する。各チャネル毎に各周波数成分を再合成し、時間波形に戻した後、出力する。
【００１２】
【実施例】
この発明の第１の実施例を図１を参照して説明する。
ステレオ信号入力部１０２に入力される音響信号は、強調したい目的音源信号が中央に定位して知覚されるように収音されているステレオ信号、即ち、目的音源信号が左右にほぼ同位相、同レベルで収音してあればこの発明は有効である。ステレオ信号入カ部１０２に入力されたステレオ信号は左右のチャネル毎に処理される。以下、その処理方法を説明する。
左チャネルの信号ｓＬは、左チャネル周波数帯域分割部１０３によって周波数帯域分割されると共に周波数領域信号に変換される。同様に、右チャネルの信号ｓＲは右チャネル周波数帯域分割部１０４によって周波数帯域分割されると共に周波数領域信号に変換される。ここで、帯域分割数をＮとする。左チャネルにおいて帯域分割された信号成分を低い周波数から順に、ｆＬ（Ｏ）、ｆＬ（１）、ｆＬ（２）．．．．ｆＬ（ｋ）．．．．ｆＬ  （Ｎ−１）とする。右チャネルにおいて帯域分割された信号成分を低い周波数から順に、ｆＲ（Ｏ）、ｆＲ（１）、ｆＲ（２）．．．．ｆＲ（ｋ）．．．．ｆＲ（Ｎ−１）とする。これらの左チャネルの信号成分ｆＬ（Ｏ）、ｆＬ（１）、ｆＬ（２）．．．．ｆＬ（ｋ）．．．．ｆＬ  （Ｎ−１）、および右チャネルの信号成分ｆＲ（Ｏ）、ｆＲ（１）、ｆＲ（２）．．．．ｆＲ（ｋ）．．．．ｆＲ（Ｎ−１）は、後で説明されるＬＲ混合部１０７に供給される。
【００１３】
パワー比計算部１０５において、ｆＬ（ｋ）、ｆＲ（ｋ）は、同じ周波数帯域毎に、パワー比ｑ（Ｏ）、ｑ（１）、ｑ（２）．．．．ｑ（ｋ）．．．．ｑ（Ｎ−１）は以下の通りに計算される。
｜ｆＲ（ｋ）｜≦｜ｆＬ（ｋ）｜のとき、
α（ｋ）＝｜ｆＲ（ｋ）｜∧２／｜ｆＬ（ｋ）｜∧２
｜ｆＲ（ｋ）｜＞｜ｆＬ（ｋ）｜のとき、
α（ｋ）＝｜ｆＬ（ｋ）｜∧２／｜ｆＲ（ｋ）｜∧２              （１）
ここで、Ａ∧２はＡの二乗を表す。また、｜Ａ｜はＡ（複素数）の大きさを示す。便宜上、パワー比で定義するため二乗しているが、二乗せずに、絶対値の比で定義しても、この発明の効果は同じである。
【００１４】
次に、混合判定部１０６、およびＬＲ混合部１０７の動作について説明する。中央付近に定位して知覚される音源信号は左右のパワー比が小さい。よって、混合判定部１０６において、閾値の幅を決める閾値幅決定変数をα（１以上の実数）として、ｑ（ｋ）が１／αから１の範囲である場合、中央定位音源成分と判断する。ｑ（ｋ）が１／αより小さい場合、中央定位音源成分ではない成分と判断する。これら中央定位音源成分であり、或いは中央定位音源成分ではないという混合判定結果の情報をＬＲ混合部１０７に供給する。
【００１５】
ＬＲ混合部１０７は、混合判定部１０６で中央定位音源成分と判断された音源信号の左右の成分ｆＬ（ｋ）、ｆＲ（ｋ）を、式（２）の通りに加算し、これにβを乗算して出力する。中央定位音源成分ではない成分と判断された音源信号の左右の成分ｆＬ（ｋ）、ｆＲ（ｋ）は、ＬＲ混合部１０７において式（３）の通りに加算せずにそのまま出力される。ここで、ｆＬ’（ｋ）およびｆＲ’（ｋ）は、それぞれ、ＬＲ混合部１０７におけるｆＬ（ｋ）およびｆＲ（ｋ）の加算処理後の出力信号を示す。即ち、
１／α≦ｑ（ｋ）≦１のとき、
ｆＬ’（ｋ）＝ｆＲ’（ｋ）＝β＊（ｆＬ（ｋ）＋ｆＲ（ｋ））                  （２）
１／α＞ｑ（ｋ）のとき、
ｆＬ’（ｋ）＝ｆＬ（ｋ）
ｆＲ’（ｋ）＝ｆＲ（ｋ）                                                                        （３）
ｆＬ’（ｋ）、ｆＲ’（ｋ）は、左チャネル信号合成部１０８および右チャネル信号合成部１０９で再合成され、ステレオ信号出力部１１０より出力する。
【００１６】
βは加算前後の大きさを調整するレベル調整係数である。一般に、左右のレベル差が等しくても、位相が大きく異なれば、中央には定位して知覚されない。以上の式（２）の条件を満たし、加算をすると、左右の位相差が小さい、即ち、中央に定位して知覚する音源信号の成分は、同期加算効果で振幅が約２倍になる。位相差が大きいと、パワー加算になり、パワーが約２倍になる。結果的に中央に定位して知覚される音源信号成分のみ√２倍（３ｄＢ）強調される。レベル調整係数βを１／√２にすることにより、式（２）が適用される成分のパワーと、式（３）が適用される相関の低い成分とのパワーをほぼ一致させることができ、これにより、ステレオの定位を維持しつつ中央に定位して知覚される音源信号成分のみが約３ｄＢ強調されて、第１の従来例の課題であるモノラル化されるという課題を解決することができる。
【００１７】
図２を参照して第２の実施例を説明する。
類似度計算部２０５においては、図１におけるパワー比の他に左右の位相差も計算される。減衰係数計算部２０６においては、左右の位相差が大きい、換言すると類似度が小さな成分が抑圧される減衰係数ｇ（Ｏ）、ｇ（１）、ｇ（２）．．．．ｇ（Ｎ−１）を求め、各々の周波数成分に乗算する。このまま左チャネル音源信号合成部１０８、右チャネル音源信号合成部１０９で再合成するのが従来例であるが、第２の実施例は、その前段に、ＬＲ混合部１０７および混合判定部１０６を図示される位置に付加挿入している。
ここで、類似度計算部２０５において計算された左右の位相差を減衰係数計算部２０６に供給し、周波数帯域毎の減衰係数ｇ（Ｏ）、ｇ（１）、ｇ（２）．．．．ｇ（Ｎ−１）を求める。減衰係数計算部２０６において求められた減衰係数を左チャネル減衰係数乗算器２０７および右チャネル減衰係数乗算器２０８において各々の周波数成分に乗算する。左チャネル減衰係数乗算器２０７および右チャネル減衰係数乗算器２０８における積算結果はＬＲ混合部１０７に供給される。
【００１８】
図１の基本構成の場合と同様に、類似度計算部２０５でパワー比ｑ（ｋ） 情報を抽出して、混合判定部１０６で式（２）および式（３）の条件判定を実行する。これら中央定位音源成分であり、或いは中央定位音源成分ではないという混合判定部１０６の混合判定結果の情報はＬＲ混合部１０７に供給される。
左チャネル減衰係数乗算器２０７および右チャネル減衰係数乗算器２０８における積算結果の左右チャネルの成分ｆＬ（ｋ）、ｆＲ（ｋ） について、中央定位音源成分と判断された音源信号の左右の成分ｆＬ（ｋ）、ｆＲ（ｋ）を、式（２）の通りにＬＲ混合部１０７において加算出力する。中央定位音源成分ではない成分と判断された音源信号の左右の成分ｆＬ（ｋ）、ｆＲ（ｋ） は、ＬＲ混合部１０７において式（３）の通りに加算せずにそのまま出力される。ＬＲ混合部１０７における混合処理後の出力ｆＬ’（ｋ）、ｆＲ’（ｋ）は、左チャネル信号合成部１０８および右チャネル信号合成部１０９で再合成され、ステレオ信号出力部１１０より出力される。
【００１９】
従来例のみに依っては、中央定位音源以外の抑圧効果は大きいが、非線形の処理になるために位相が乱れ、中央定位音源の定位がぼやけて知覚されることが問題としてあった。ところが、この第２の実施例は、中央付近音源の左右差がレベル差および位相差迄含めて小さくなるので中央に寄って知覚される効果があり、更に同期加算の効果も奏す。
式（２）、式（３）における閾値幅決定変数αの値を大きくして行くと、定位を中央に狭めると同時に同期加算効果も、原理的最大量である３ｄＢにより近づいて行くが、左右何れかに定位している音源までもが中央に寄ることとなって、最終的にはαを無限大にすると、第１の従来例と同じ効果になり、モノラル化される。ステレオ効果を維持しつつ、中央定位音源を強調するには、収音状況に応じて、適当な値に閾値幅決定変数αを設定する。
【００２０】
【発明の効果】
上述した通りであって、この発明は、ステレオ音楽ソースの受聴者の好みに応じた再生をし或いは環境騒音下で目的とする音声を強調して受聴する様な場合に適用され、ステレオ音響信号から中央に定位する音源信号を強調するに際して従来例の問題点を改善し、より良好な音質および定位感を保つ効果を奏す。
ところで、中央に定位して知覚する音源信号の成分は同期加算効果で振幅が約２倍になる。位相差が大きいとパワー加算になり、パワーが約２倍になる。結果的に中央に定位して知覚される音源信号成分のみ√２倍（３ｄＢ）強調されることになる。ここで、レベル調整係数βを１／√２にすると、式（２）が適用される成分のパワーと、式（３）が適用される相関の低い成分とのパワーをほぼ一致させることができ、これにより、ステレオの定位を維持しつつ中央に定位して知覚される音源信号成分のみが約３ｄＢ強調されて、第１の従来例の課題であるモノラル化されるという課題を解決することができる。
【００２１】
そして、図２の第２の実施例は、左チャネル音源信号合成部１０８および右チャネル音源信号合成部１０９の前段に、ＬＲ混合部１０７および混合判定部１０６が付加挿入されている。換言すれば、混合判定部１０６およびＬＲ混合部１０７を除いた部分が第２の従来例に相当する。この第２の従来例は、中央定位音源以外の抑圧効果は大きいが、非線形の処理になるところから位相が乱れ、中央定位音源の定位がぼやけて知覚されることが問題であった。ところが、混合判定部１０６およびＬＲ混合部１０７を付加したこの第２の実施例は、中央付近音源の左右差がレベル差および位相差迄含めて小さくなるので中央に寄って知覚される効果があり、更に同期加算の効果も奏す。
【００２２】
また、式（２）、式（３）における閾値幅決定変数αを大きくして行くと、定位を中央に狭めると同時に同期加算効果も、原理的最大量である３ｄＢにより近づいて行くが、左右何れかに定位している音源までもが中央に寄ることとなり、最終的にはαを無限大にすると、第１の従来例と同じ効果になり、モノラル化される。しかし、収音状況に応じて、閾値幅決定変数αを適当な値に設定することにより、ステレオ効果を維持しつつ、中央定位音源を強調するステレオ音響信号処理装置を構成することができる。
【図面の簡単な説明】
【図１】この発明の一つ目の実施例を示すブロック図。
【図２】この発明の二つ目の実施例を示すブロック図。
【符号の説明】
１０２  ステレオ信号入力部          １０３  左チャネル周波数帯域分割部
１０４  右チャネル周波数帯域分割部  １０５  パワー比計算部
１０６  混合判定部                  １０７  ＬＲ混合部
１０８  左チャネル音源信号合成部    １０９  右チャネル音源信号合成部
１１０  ステレオ信号合成部          １１１  ステレオラウドスピーカ
１１２  ステレオヘッドホン          ２０５  類似度計算部
２０６  減衰係数計算部              ２０７  左チャネル減衰係数乗算器
２０８  右チャネル減衰係数乗算器
【図１】
2004343590.tif 000002
【図２】
2004343590.tif 000003